(57)【要約】      （修正有）【課題】現在の原子力発電や火力発電は地球環境には厳しい発電である。現在風力発電や太陽光発電はコストがかかる欠点を有する。発電は安全でクリーンで、しかも低コストの発電を提供する。【解決手段】波力は広い海面等で世界中に広大な面積を有する。この無尽蔵の資源を安価で有効活用することは世界人類に安全と安心を与える。地球環境に優しい自然エネルギーを利用することは、安心で安全な日常生活に不可欠な電力需要に応える。この波力の引張力を蓄積し発電する方式は、原子力・化石燃料の汚染問題を一気に解決する発明である。【選択図】図１
2014092119.tif 000002
【特許請求の範囲】
【請求項１】
波の持つ波動を捉えて波力と浮力の反発力を利用して発電する波力利用ゼンマイ発電システム。
【請求項２】
波の波力のエネルギーをゼンマイに貯蔵し、ゼンマイ解放時の復元力を利用して発電器を回し発電する波力利用ゼンマイ発電システム。
【請求項３】
波の波力を最大限に利用できる方式として、常時最大引っ張り力を確保するため、緩んだワイヤーはゼンマイで巻き戻し水底固定部と水面を一定にする波力利用ゼンマイ発電システム。
−２−
【発明の詳細な説明】
【技術分野】
【０００１】
この出願の発明は、波力を利用してその力をゼンマイに貯力し、そのエネルギーを発電に利用するシステムである。
【背景技術】
【０００２】
従来の波力利用や水流利用発電は単純な上下運動や水流利用による発電システムであるが、限りなく存在する水の資源である海浜や湖の波力を捉える安全で無限大に存在する発電が要望される。
【０００３】
特に、海岸に打ち寄せる波は世界中で無限大に存在する。その波力を捉え貯蔵し、発電に利用することで原子力発電の持つ危険性や火力発電の大気汚染より発生する環境破壊を防止することが出来る事で安全が図られ、安心が得られるエネルギー転換が実現できる。
【０００４】
特に原子力発電は危険性があり、火力発電は環境汚染があり、水力発電はダムによる自然環境の破壊がある。又風力発電は風がないと発電できないし、太陽光発電も天候に左右され設置コストも高い。いずれの発電システムをとっても問題があり、地球環境をより破壊する方向にあるし、電価コストが高く、かつ後世に多くの付けを残すのが欠点である。その為には、地球環境を破壊することなく、安価で安全な自然でクリーンな発電システムが要望される。
【０００５】
つまりこの出願の発明は、自然発生する波力を捉えることで、その無尽蔵に発生するエネルギーを貯蔵し発電に利用するものである。地球環境を破壊することなく、自然エネルギーを応用してクリーンエネルギーを得ることが出来るものである。
【先行技術文献】
【特許文献】
【０００６】
【特許文献１】特開２００７−２９７９２９号公報
【発明の開示】
【発明が解決しようとする課題】
【０００７】
本発明は、波力を貯蔵し発電に利用することが図れる。そのことで従来にないクリーンなエネルギーを発生することが出来るシステムを提供するものである。
【課題を解決するための手段】
【０００８】
波力を利用し、その水面に浮力物を設置し、水底に固定してその張力をエネルギーに変                                                          
換する機能を有する。
【発明の効果】
【０００９】
従来の発電は環境破壊に結びつくおそれのある発電システムであるが、この地球環境破壊をするようなシステムは直ちに廃棄されなければならない。クリーンにして問題のない発電システムが要望される。
【００１０】
原子力の恐怖、化石燃料の環境破壊、ダムの自然破壊より脱却することが可能となる。
【００１１】
自然エネルギーは無尽蔵に存在し、地球環境が維持される限り発生する波力を利用し、より安全・安心なエネルギー変換が実現する。
【００１２】
その方法は波力を利用し、その水面に浮力物を設置し水底に固定して、その張力をエネルギーに変換する機能を有する為に安全であり、従来の発電システムの問題点を解消し、発電システムに大改革を与える。
【００１３】
これらの問題解消は、地球環境を保持し、発生発熱をなくし、地球温暖化を停止させ、全てのエネルギーを安心・安全なエネルーギーに変換することで、全ての環境問題を解消することの出来る大きな役割を果たす。
【００１４】
本発明は、発電システムに大改革を与える。このクリーンエネルギーの利用は人々の日常生活を保障し、この地球環境を救済する事の出来るほどの夢の実現ができる発電システムとなる。
【発明を実施するための形態】
【００１５】
〔実施例１〕                                                                      波力利用は最も自然の有するエネルギーとして、何時吹くとも分からない風力よりも、打っては返す波は無尽蔵である。危険性を回避したり、天候に左右されたり、雨が降らなければ水が枯渇するダム問題も十分対処できる可能生が広がるエネルギーである。        
【００１６】
一つは、原子力の危険性、一つは化石燃料の環境破壊、一つは不必要な水利用に名を借りるダム問題が抱える自然破壊。これらを全て解消することの出来る事が実現するエネルギー変換システムである。                                                          
【００１７】
水面に浮き箱（１０１）中に元動輪（１０２）と巻き戻しゼンマイ（１１４）を伝動軸３（１１３）で連結する。原動輪（１０２）とゼンマイ（１０３）を逆回転不能伝動軸（１０４）で連結する。変速機（１０５）と発電機（１０７）を伝動軸１（１０６）で連結する。送電線（１０９）を発電機（１０７）に連結する。水底アンカー（１１０）とワイヤ
（１１１）で元動輪（１０２）を浮き箱（１０１）の中に入る穴に万方輪（１１２）を通
して連結する。
【００１８】
波が来る時、浮き箱（１０１）は上に浮き上がり、ワイヤ（１１１）が引っ張られ、そのエネルギーは元動輪（１０２）を通してゼンマイ（１０３）に蓄積される。波が過ぎ、ワイヤ（１１１）が緩むと、巻き戻しゼンマイ（１１４）の作用でワイヤ（１１１）を巻き戻して緩みを復元し、たえず浮き箱（１０１）と水底間に張力を持たせるようにする。  
【００１９】
蓄積されているゼンマイ（１０３）中のエネルギーは変速機（１０５）と伝動軸２（１０８）を通して発電機（１０７）を回転させて発電する。電力は送電線（１０９）を通して送電する。                                                                  
【００２０】
安定的・継続的に発電するために、次回の波が来るまではゼンマイ（１０３）に蓄積されているエネルギーを完全に放出することなく少し残しながら貯蓄する。１日から１ヶ月間波が低く、波のエネルギーが弱い時に備えて安定的・継続的に発電できるようにする。
【００２１】
浮き箱（１０１）固定の４本のワイヤ（１１１）の前後左右に揺れるエネルギーも同様の原理で発電する事が出来る。
【図面の簡単な説明】
【００２２】
波の持っている上下運動・左右運動の動きを浮力を有する浮き箱を利用して、その張力エネルギーをゼンマイに蓄積し、次の波のエネルギーを補充するまでゼンマイに蓄積されているエネルギーを持続的・安定的に変速機を通して発電機に作用させ発電するシステムである。
【図１】水底に固定したワイヤで浮き箱を固定し、波の上下左右運動によって生じる引っ張り力を利用して元動輪とゼンマイを逆回転不能伝動軸で連結し、ゼンマイと変速機を伝動軸で連結する。変速機と発電器を伝動軸で連結する。送電線で陸上部に送電する。四方の浮き箱固定ワイヤも同様に力が働くので同様の発電システムで発電する。また水底と水面の変動距離に応じて、ゼンマイを利用して絶えずワイヤの張力を保ち、効率よく波力を利用する発電装置の平面図である。
【符号の説明】
【００２３】
１０１ 浮き箱
１０２ 原動輪
１０３ ゼンマイ
１０４ 逆回転不能伝動軸
１０５ 変速機
１０６ 伝動軸１
１０７ 発電器
１０８ 伝動軸２
１０９ 送電線
１１０ 水底アンカー
１１１ ワイヤ
１１２ 万方輪
１１３ 伝動軸３
１１４ 巻き戻しゼンマイ
【図１】
2014092119.tif 000003